(57)【要約】【課題】ＡＣ型ＰＤＰの並行して対をなす表示放電電極通称スキャン電極とサステイン電極間を、例えば２００ミクロン以上の比較的長ギャップな画素として形成する場合、上記２電極間で有効且つコントラスト低下を起こさない所謂リセット放電を行う事は長ギャップ故の高い放電電圧のため困難であった。【解決手段】リセット放電をスキャン電極とサステイン電極間で行うのではなく、スキャン電極とアドレス電極、サステイン電極とアドレス電極との間で連続したタイミングで別々の放電を行う。【特許請求の範囲】
【請求項１】
ＡＣ型ＰＤＰすなわち放電電極の表面が誘電層で被覆され、その誘電層に蓄積される電荷いわゆる壁電荷を利用し、並行して対をなす放電電極、例えば通称スキャン電極とサステイン電極、さらにこれらと空間的に交叉して配される通称アドレス電極とで構成され、尚かつ上記スキャン電極とサステイン電極間の間隙が比較的大きく例えば２００ミクロン以上の構造を持つＡＣ型ＰＤＰにおいて、各表示サイクルの以前のサイクルの放電で形成された壁電荷を全画面均一な壁電荷の状態に復帰させる所謂ＰＤＰのリセット方法につき、上記スキャン電極とサステイン電極間の放電でリセットするのではなく、スキャン電極とアドレス電極、サステイン電極とアドレス電極との間で連続したタイミングで別々の放電を行い、全画面全体に均一な壁電荷の状態を形成するＡＣ型ＰＤＰのリセット方法。
【発明の詳細な説明】
【技術分野】
【０００１】本発明は、プラズマディスプレイパネル所謂ＰＤＰの駆動方法に関する。
【背景技術】
【０００２】ＰＤＰはガス放電を利用した表示装置であり、ＸＹ状に配された放電電極とこれを被覆する誘電層から構成されている。  基本的な構造としては図５に示すように背面側基板１には画面縦方向に伸張するアドレス電極と称される複数の電極８があり、それと対向して前面側基板５には上記アドレス電極８と直交する横方向に伸張するスキャン電極と称される複数の電極６があり、これら両電極の交叉する複数の点を画素として画像信号に応じて放電することで誘電層上に電荷を蓄積する。  これをアドレス放電と称している。【０００３】一般的なＰＤＰでは蛍光体をアドレス電極８が形成されている背面側基板に形成する必要があるため、図５では示されていないが同じアドレス電極８を被覆する背面側の誘電層２の上に形成される蛍光体への表示放電によるダメージを避けるため、アドレス放電用と表示放電用の電極を分離することが望ましい。  そこで一般的なＰＤＰでは、前面側のスキャン電極６に並行してサステイン電極と称する第三の電極７を配し、表示放電は上記アドレス放電で形成された電荷を元にして画像に応じた表示放電をスキャン電極６及びサステイン電極７の間で行う。  この表示放電は上記電極間にサステインパルスと称するパルスを印加することでパルスごとに極性の異なる電荷が交互に形成されることから放電を継続的に維持できるのでメモリー放電と呼ばれることもある。  また一般的にスキャン電極６をＸ電極、サステイン電極７をＹ電極、アドレス電極をＡ電極と呼ぶ場合がある。【０００４】ところで上記放電の形態において、表示放電を画素ごとに個別にすなわち点灯非点灯を画素ごとに区別するためのアドレス放電を行うためには、アドレス放電を行う前に、いったん以前の画面で各画素に形成された電荷をキャンセルしてから行う所謂リセット放電が必要である。  このリセット放電は上記のように電荷を個別に形成することで表示を行うＰＤＰにおいては、上記３電極型でも４電極型でもきわめて重要な作用であり、完全に行われる必要がある。【０００５】図４に一般的なリセット放電のための各電極に印加するパルスの電圧波形を示す。  図４（ａ）は実際のＰＤＰで用いられる駆動波形の一例が図示されているが、リセットパルスの基本的な動作の説明には、同図（ｂ）に図示される単純化した波形を用いる。  また図５にはＰＤＰの電極構成を示す模式的断面図が示されている。ＰＤＰの電極構成は前述のように、Ｙ電極すなわちサステイン電極７、それと並行して同じ前面側基板５に配されたＸ電極すなわちスキャン電極６、さらに対向する背面側基板１にあるＡ電極すなわちアドレス電極８、これら３電極で構成されている。  またＰＤＰ動作で基本的な要素である各電極に電圧を重畳して動作させるための電荷を蓄積する誘電層が前面側誘電層４及び背面側誘電層３として各電極を被覆している。  この３組の異なる電極で構成されるＰＤＰを３電極型ＰＤＰと称するが、上記アドレス放電とサステイン放電を完全に分離した電極群で行うため４電極型にする方法も提案されている。  ３電極型でも４電極型でもリセット放電は、以前の画面で各電極に蓄積されている電荷に無関係に全画素に均一に行う必要がある。【０００６】リセットパルスはまずＹ電極す��わちサステイン電極７に加えられ、並行して配されたＸ電極すなわちスキャン電極６との間でリセット放電を行う。  なお図５に示す一般的なＰＤＰの構造はいわゆる短ギャップ構造と言われ、Ｘ及びＹ電極間の先端どうしの距離は約８０ミクロン、Ｙ電極とＡ電極の距離は約１００ミクロンである。  ここに図４の従来のリセットパルスを印加すると、放電はＸＹ電極間放電２１とＸＡ電極間放電２０とがほぼ同時に起きる。  この場合リセットパルスは、各電極表面にある背面側誘電層３及び前面側誘電層４に蓄積されている電荷いわゆる壁電荷に無関係に全ての画素に放電を起こす必要から十分に高い電圧に設定される。  図４ではこの壁電荷による電圧を壁電圧１１として点線で表している。  また通常のＰＤＰの電極構造では、ＸＹ間とＡＹ間の放電開始電圧に大きな差はなく、放電はほぼ同時に起きるが、背面側の誘電層上には蛍光体があるために主な放電はＸＹ電極間で起きる。  なお図４（ａ）に示すリセット波形はリセット放電時の発光を弱めてコントラストの低下を防ぎ、またいったんできた壁電荷を電極上に確実に形成する目的から、パルスの立ち上がりと立ち下がりを傾斜させた所謂ランプ波形とすることが一般的であるが、本発明には無関係であるために、本発明を含め今後の説明は図４（ｂ）に示すような基本的なスクエア型パルスで説明する。【０００７】さて図４のパルスによるリセット動作は、まずＹ電極７に対して全ての画素に一様に放電が発生するような比較的大きなパルスが印加される。  Ｘ，Ｙ，及びＡ電極の表面にはリセットする前の表示による壁電荷がそれぞれ蓄積されており一様ではない為、それら電荷の存在または極性の正負にかかわらず放電するように十分高い電圧が印加される。  ＸＹ電極間及びＡＹ電極間の距離はほとんど差が無いので、Ｙ電極７に加えられた正の高い電圧によりＸＹ間及びＡＹ間にほぼ同時に放電が起こり、Ｙ電極７に負の壁電荷、Ｘ電極６及びＡ電極８には正の電荷が蓄積される。  一般的にＡ電極の表面には蛍光体があり、またＡ電極８側即ち背面側誘電層３の誘電率は前面側誘電層４に比べて小さいために、Ａ電極に形成される壁電荷はＸ電極側に比べて小さい。  Ｙ電極に大きなパルスを早い立ち上がりで印加すると大きな放電電流が瞬時に流れるために強い発光が観測され表示コントラストの低下原因になるため立ち上がりをゆっくりと立ち上げるのが一般的である。【０００８】次に、はじめにＹ電極７に加えたパルスの立ち下げのタイミングでは最初の放電で各画素に形成された壁電荷をさらに均一にするためにＹ電極７を負側にするとともにＸ電極６側には正のパルスを印加し、はじめの放電とは逆極性の放電を行う。  これによってリセット動作の終了時にはＹ電極側に正の壁電荷、Ｘ側には負の壁電荷が形成される。  なおＡ電極８にも若干の正の電荷が残るが、前述の理由でＸ及びＹ電極の電荷量より少ない。  このように、通常のＰＤＰのリセット放電は前面側のＹ電極７及びＸ電極６間で行われる。【０００９】
【特許文献１】特開２００２−２２９５０
【特許文献２】特開２００５−４２１３
【特許文献３】特開２００８−１３４３７２
【発明の開示】
【発明が解決しようとする課題】
【００１０】さて近年ＰＤＰの消費電力を削減する為の方策として、放電セルの発光効率を向上させるため、従来の負グローからの紫外線を利用して蛍光体を発光させる方式から、陽光柱を利用する方式への転換が計られている。  ところが陽光柱を各画素に発生させるためには、放電電極間すなわちサステイン電極７であるＹ電極とスキャン電極６であるＸ電極の距離がある程度以上に長く無ければならない。  例えば前述のように通常のＰＤＰすなわち例えばＮｅとＸｅの混合ガスを約４００Ｔｏｒｒ封入したＰＤＰでは、並行するＹ電極とＸ電極の先端距離が約８０ミクロンなのに対し、陽光柱を発生させるためにはこれを約２００ミクロンから３００ミクロン以上の間隙にする必要がある。【００１１】このような放電電極間距離の長い陽光柱型のＰＤＰを駆動する場合、前述のリセット放電が大きな問題となる。  即ち通常の負グロー型のＰＤＰの場合、Ｙ電極とＸ電極の距離が約８０ミクロンと比較的短いから、前述ようなリセットパルスでも十分にＸＹ電極間でリセット放電が起きる。  しかしながら、陽光柱型ＰＤＰの場合にはＹ電極及びＸ電極間の距離が大きくなるために、この両電極間にリセット放電を起こすためには、リセット電圧をさらに大きくしなければならない。  これは駆動回路の負担になるのみならず、強いリセット放電による大きな発光が画像コントラストの低下を引き起こすため、陽光柱型ＰＤＰを実現するための大きな課題であった。
【課題を解決するための手段】
【００１１】そこで本発明では、リセット放電をＹ電極とＸ電極で行うのではなく、Ｙ電極とＡ電極、そしてＸ電極とＡ電極で別々の放電を連続したタイミングで行い、最終的にＹ電極及びＸ電極に極性の異なる壁電荷を画面一様に形成するＰＤＰの駆動方法を提供するものである。  なお従来のリセット方法ではＸＡ間放電２０とＸＹ間放電２１が起きるがＹＡ間の放電は起きない。
【発明の効果】
【００１２】本発明によれば、特に陽光柱型ＰＤＰのリセット電圧を低下させ、尚かつリセット放電による画像コントラストの低下を防止して表示品質を向上させることができる。
【発明を実施するための形態】
【００１３】［第１の実施形態］
以下に本発明のリセット動作を、そのリセットパルス波形である図２と、その動作を時間を迫って説明するための画素の模式的断面図である図１をもって説明する。  まず図１の断面図では陽光柱型ＰＤＰの電極構成を模式的に示す。  基本的には通常のＰＤＰと同じ構成であるが、Ｘ電極とＹ電極の間隙が例えば図４に示す通常のＰＤＰよりも広いことを示す。  例えばＡＸ間及びＡＹ間の距離は通常と同じ約１００ミクロンであるのに対しＸＹ間は約２倍以上の２００〜３００ミクロンになっている。
【００１４】図１で示すＰ１及びＰ２はそれぞれＡＸ間の放電２０とＡＹ間の放電２２のタイミングを表す。  Ｐ１とＰ２は同時にではなく、連続した異なるタイミングで行われる。  これを行わせるパルス波形が図２に示されている。  また図３には上記と同一の動作を異なるパルスのタイミングで実現している。
【００１５】図２を参照して本発明の実施形態を説明する。  まずＰ１の放電２０はＡ電極とＸ電極間で行われる。  このためにはＡ電極８にＸ電極との間で放電するに十分な電圧のパルスを印加する。  このときＡ電極とＹ電極間では放電しないように図示のごとくＹ電極にＡ電極のパルスと導極性のパルスを印加しておく。  このパルスの電圧値はＡ電極に加えるパルスと同じ大きさの電圧でも良いが、ＡＹ間放電を阻止出来ればこれより低い電圧でもよい。  放電により形成される壁電荷によるいわゆる壁電圧１１は図の点線で示すように推移する。  すなわちＡ電極に印加された正のパルスによりＡＹ電極間に放電が起きＸ電極側に正の壁電荷、Ａ電極側には負の壁電荷が形成されるが、高い印加電圧のためにパルスの立ち下がり時にももう一度放電が起き、Ｐ１の放電が終了したときの各壁電荷の極性はＸ電極に負の電荷、Ａ電極には若干の正の壁電荷が蓄積される。
【００１６】次にＰ２の放電２２はＡ電極８とＹ電極７間で行われる。  このためにはＹ電極７にＡ電極８との間で放電するに十分な電圧のパルスを印加する。  なおＸＹ両電極間の距離が通常のＰＤＰより大きい陽光柱型ＰＤＰの場合、Ｙ電極直下のＸ電極上にはＰ１のタイミングで行われたＡＸ間放電の影響は少なく壁電荷もわずかであるから、上記Ｙ電極に印加したパルスでＡＹ間放電が容易に起きる。  このときＸＹ電極間の距離が大きいためにＹ電極とＸ電極間では放電は起きないが、さらに安定に動作させるためにはＸ電極に正の阻止電圧を印加する事も出来る。  こうして前と同様に立ち下がりでも放電するが、Ｐ２の放電が終了したときの各壁電荷の極性はＹ電極に正の電荷が蓄積される。  なおＰ１の放電によるＸ電極上の壁電荷は電極間が離れているためにＰ２放電の影響は受けず、負の電荷を蓄積したままであり、またＡ電極は構造上蓄積される壁電荷をわずかである。
【００１７】［第２の実施形態］
図３に示す第２の実施形態では、Ｐ１放電におけるＡ電極とＹ電極のパルスの電圧配分を変えたもので、Ｘ電極側に負極性のパルスを印加することでＡ電極側パルス電圧を低く出来る。  またＡ電極の電圧が低いことでＹ電極側に放電阻止パルスを印加する必要がない。  Ｐ２放電は図２と同じく行われ、リセット放電の終了時には同じくＸ及びＹ電極にそれぞれ負及び正の電荷が蓄積される。
【００１８】かくして本発明は放電電極間が広い陽光柱型ＰＤＰにおいて、従来のようにＸＹ電極間でリセット放電を行うのではなく、ＡＸ間とＡＹ間で連続する別々のリセット放電を行う方法であるあるが、実施例１及び２が電圧配分を変えただけの同じ動作であるのと同様に、各電極のパルス電圧の配分はいくつかの組み合わせがあるが、基本動作は同じである。  また従来のリセット放電でも一般的に行われていたように、リセットパルスの立ち上がり及び立ち下がりをいわゆるランプ波形にすることも可能であることは言うまでもなく、この場合には波形及び電圧配分が異なるように見えるが、本発明のＸＡ間放電とＸＹ間放電をＰ１及びＰ２の連続した二つのタイミングで行うリセット方法により、表示放電電極間が広い陽光柱型ＰＤＰでも安定したリセット放電が行える。
【００１９】前述のように本発明のリセット方式は３電極型ＰＤＰのみならず、表示放電電極は従来の構造である図１あるいは図５のように並行した一対の電極であるが、アドレス電極をＸＹ構成にして、表示放電電極とアドレス電極を分離した構造の４電極型のＰＤＰへの適用も可能であることは言うまでもない。
【図面の簡単な説明】
【００２０】
【図１】本発明のリセット放電のタイミングを示すＰＤＰ画素の模式的断面図
【図２】本発明第一の実施例であるリセットパルス波形と壁電荷による壁電位の変化
【図３】本発明第二の実施例であるリセットパルス波形と壁電荷による壁電圧の変化
【図４】従来のリセット方法を説明するリセットパルスの波形と動作説明を簡略化するための基本的パルス波形及び壁電荷による壁電圧の変化
【図５】従来のリセット方法を説明するＰＤＰ画素の模式的断面図
【符号の説明】
【００２１】１      背面側基板
２      背面側誘電層
３      前面側誘電層
４      前面側基板
６      スキャン電極またはＸ電極
７      サステイン電極またはＹ電極
８      アドレス電極またはＡ電極
１１    壁電荷による壁電圧
２０    ＸＡ電極間放電
２１    ＸＹ電極間放電
２２    ＹＡ電極間放電
Ｐ１    ＸＡ間放電のタイミング
Ｐ２    ＹＡ間放電のタイミング
【図１】
2011028188.tif 000002
【図２】
2011028188.tif 000003
【図３】
2011028188.tif 000004
【図４】
2011028188.tif 000005
【図５】
2011028188.tif 000006